(57)【要約】【課題】例えば、受信状況が回復した場合に、直ぐに選局できるようにする。【解決手段】受信装置は、例えば、放送波の受信帯域をスキャンし、受信信号の品質を所定の品質と比較し判定する判定部と、前記品質が前記所定の品質以上と判定される、第１の放送局に対応する情報を、第１の表示態様により表示し、前記品質が前記所定の品質を下回ると判定される、第２の放送局に対応する情報を、前記第１の表示態様とは異なる第２の表示態様により表示する制御部とを備える。【選択図】図６
2013192133.tif 000002
【特許請求の範囲】
【請求項１】
放送波の受信帯域をスキャンし、受信信号の品質を所定の品質と比較し判定する判定部と、
前記品質が前記所定の品質以上と判定される、第１の放送局に対応する情報を、第１の表示態様により表示し、
前記品質が前記所定の品質を下回ると判定される、第２の放送局に対応する情報を、前記第１の表示態様とは異なる第２の表示態様により表示する制御部と
を備える受信装置。
【請求項２】
前記制御部は、前記第２の放送局に対応する情報を、予め設定された期間、表示する請求項１に記載の受信装置。
【請求項３】
前記制御部は、前記期間を経過した後に、前記品質が前記所定の品質以上にならない場合に、前記第２の放送局に対応する情報を、非表示にする請求項２に記載の受信装置。
【請求項４】
前記制御部は、前記期間に前記品質が前記所定の品質以上になる場合に、前記第２の放送局に対応する情報を、前記第２の表示態様から前記第１の表示態様に変更して表示する請求項２に記載の受信装置。
【請求項５】
前記判定部は、電界強度、ノイズ情報およびエラーレートの少なくとも一を使用して、前記品質を判定する請求項１に記載の受信装置。
【請求項６】
前記判定部は、前記受信信号の電界強度に対する判定を行い、前記電界強度が所定値以上である場合に、ノイズ情報およびエラーレートの少なくとも一方を使用した判定を行うことで前記品質を判定する請求項１に記載の受信装置。
【請求項７】
前記第１の放送局に対応する情報および前記第２の放送局に対応する情報のそれぞれは、放送局の名称および該放送局に割り当てられる周波数の少なくとも一つである請求項１に記載の受信装置。
【請求項８】
前記第１の表示態様および前記第２の表示態様は、表示色が互いに異なる表示態様である請求項１に記載の受信装置。
【請求項９】
前記第２の表示態様は、前記第２の放送局に対応する情報を点滅させて表示する表示態様である請求項１に記載の受信装置。
【請求項１０】
前記第１の放送局に対応する情報および前記第２の放送局に対応する情報の少なくとも一方が表示部に表示され、
前記表示される情報が選択可能とされる請求項１に記載の受信装置。
【請求項１１】
前記選択される情報に対応する放送局が選局される請求項１０に記載の受信装置。
【請求項１２】
放送波の受信帯域をスキャンし、
前記スキャンにより受信される受信信号の品質を、所定の品質と比較することにより判定し、
前記品質が前記所定の品質以上と判定される、第１の放送局に対応する情報を、第１の表示態様により表示し、
前記品質が前記所定の品質を下回る品質と判定される、第２の放送局に対応する情報を、前記第１の表示態様とは異なる第２の表示態様により表示する
表示方法。
【発明の詳細な説明】
【技術分野】
【０００１】
本開示は、受信装置および表示方法に関する。
【背景技術】
【０００２】
ラジオを受信するラジオ受信機では、通常、プリセットされている放送局を選局できるようになされている。例えば、車載のラジオ受信機の受信環境は、車両の移動に伴い変化する。受信環境の変化に応じて、受信可能なラジオ放送局が変化することが有り得る。
【０００３】
下記特許文献１には、受信可能局ボタンを押す操作に応じて電界強度のチェックを行い、チェックの結果、電界強度が閾値以上の放送局を、受信可能な放送局としてリスト表示する技術が記載されている。リスト表示された放送局から、ユーザが所望する放送局を選局できるようになされている。なお、電界強度が閾値より小さく、受信できない放送局はリストから削除され表示されない。
【先行技術文献】
【特許文献】
【０００４】
【特許文献１】特開２０１１−１３５３０６号公報
【発明の概要】
【発明が解決しようとする課題】
【０００５】
車両が移動する際に、例えば、トンネルや地下の駐車場、山間部など一時的に受信環境が悪化する場合がある。一時的に受信環境が悪化する状況で電界強度のチェックがなされると、一部または全ての放送局が受信できないと判定され、受信できないと判定された放送局が非表示となる。受信環境が回復した後に受信可能な放送局を表示するためには、受信可能局ボタンを再度、押さなければならないという問題があった。さらに、受信信号の電界強度を再度、チェックする処理に時間を要し、この処理が完了するまでリストを使用した選局操作ができないという問題があった。
【０００６】
したがって、本開示の目的の一つは、放送の受信環境が変化する場合においても、ユーザが所望する放送局を直ぐに選局できる受信装置および表示方法に関する。
【課題を解決するための手段】
【０００７】
上述した課題を解決するために、本開示は、例えば、
放送波の受信帯域をスキャンし、受信信号の品質を所定の品質と比較し判定する判定部と、
品質が所定の品質以上と判定される、第１の放送局に対応する情報を、第１の表示態様により表示し、
品質が所定の品質を下回ると判定される、第２の放送局に対応する情報を、第１の表示態様とは異なる第２の表示態様により表示する制御部と
を備える受信装置である。
【０００８】
本開示は、例えば、
放送波の受信帯域をスキャンし、
スキャンにより受信される受信信号の品質を、所定の品質と比較することにより判定し、
品質が所定の品質以上と判定される、第１の放送局に対応する情報を、第１の表示態様により表示し、
品質が所定の品質を下回る品質と判定される、第２の放送局に対応する情報を、第１の表示態様とは異なる第２の表示態様により表示する
表示方法である。
【発明の効果】
【０００９】
少なくとも一つの実施形態によれば、放送の受信環境が変化する場合においても、ユーザが所望する放送局を直ぐに選局できる。
【図面の簡単な説明】
【００１０】
【図１】関連する技術の処理の流れの一例を示すフローチャートである。
【図２】受信装置の構成の一例を示すブロック図である。
【図３】表示リストの一例を説明するための図である。
【図４】受信信号の品質を判定する処理の一例を示すフローチャートである。
【図５】第１の実施形態の処理の流れの一例を示すフローチャートである。
【図６】第１の実施形態の処理の流れの一例を示すフローチャートである。
【図７】図７Ａは、リストの一例を説明するための図である。図７Ｂは、リストに基づく表示リストの一例を説明するための図である。
【図８】図８Ａは、リストの一例を説明するための図である。図８Ｂは、リストに基づく表示リストの一例を説明するための図である。
【図９】図９Ａは、リストの一例を説明するための図である。図９Ｂは、リストに基づく表示リストの一例を説明するための図である。
【図１０】第２の実施形態の処理の流れの一例を示すフローチャートである。
【図１１】第２の実施形態の処理の流れの一例を示すフローチャートである。
【図１２】図１２Ａは、リストの一例を説明するための図である。図１２Ｂは、リストに基づく表示リストの一例を説明するための図である。
【図１３】図１３Ａは、リストの一例を説明するための図である。図１３Ｂは、リストに基づく表示リストの一例を説明するための図である。
【図１４】図１４Ａは、通常の表示態様を説明するための図である。図１４Ｂは、グレーリストとして表示する際の表示例を説明するための図である。
【発明を実施するための形態】
【００１１】
以下、本開示の実施形態について図面を参照しながら説明する。なお、説明は、以下の順序で行う。
＜１．第１の実施形態＞
＜２．第２の実施形態＞
＜３．変形例＞
なお、以下に説明する実施形態および変形例は、本開示の好適な具体例であり、本開示の内容が、これらの実施形態および変形例に限定されないものとする。
【００１２】
＜１．第１の実施形態＞
「関連する技術について」
始めに、本開示に関連する技術であるラジオ受信装置の処理を説明する。図１は、ラジオ受信装置の処理の一例を示すフローチャートである。ラジオ受信装置は、例えば、車両に搭載される。
【００１３】
図１のステップＳ１において、ラジオ放送の受信帯域を所定の周波数ステップ毎にスキャンする処理（スキャン処理）が行われる。そして、処理がステップＳ２に進む。ステップＳ２では、スキャン処理の結果に応じて、受信信号の品質（受信品質）が基準以上の放送局のリストが作成される。例えば、受信信号の電界強度が閾値以上である場合に、品質が基準以上とされる。そして、処理がステップＳ３に進む。
【００１４】
ステップＳ３では、リストに基づく表示がなされ、受信可能な放送局が表示される。ユーザは、表示された放送局の中から、所望の放送局を選局できる。そして、処理がステップＳ４に進む。ステップＳ４では、予め設定された時間が経過したか否かが判定される。設定時間が経過していない場合は、処理がステップＳ４に戻る。設定時間が経過した場合は、処理がステップＳ１に戻り、再度、スキャン処理が行われる。
【００１５】
車両が移動する際に、例えば、トンネルや地下の駐車場、山間部など一時的に受信環境が悪化する場合がある。一時的に受信環境が悪化する状況で、ステップＳ１のスキャン処理が行われると、一部または全ての放送局の受信信号の品質が基準を満たさないと判定される。
【００１６】
このため、ステップＳ２の処理では、リストに表示されていた放送局の一部または全てが非表示となる。受信環境が良好となった場合でも、設定時間が経過しなければ、次のスキャン処理が行われない。設定時間が経過し、次のスキャン処理およびスキャン処理の結果に基づく表示処理が完了するまでは、放送局は表示されない。このため、ユーザは選局の操作をできないという問題がある。本開示では、例えば、受信信号の品質が基準を満たさない場合でも、すぐに放送局を非表示とせずに、表示態様を異ならせて表示する。以下、本開示の内容について、詳細に説明する。
【００１７】
「受信装置の構成」
図２は、本開示における受信装置（以下、適宜、受信装置１００と称する）の構成の一例を示す。受信装置１００は、例えば、車両に搭載され、ラジオを受信する装置である。ラジオ受信機能を有する携帯端末などが受信装置１００とされてもよい。
【００１８】
受信装置１００は、放送波を受信するアンテナ１０を備える。アンテナ１０に対して、チューナ１１およびチューナ１２が接続される。チューナ１１およびチューナ１２に対して、オーディオ処理部１３が接続される。オーディオ処理部１３に対して、パワーアンプ１４が接続される。パワーアンプ１４に対して、スピーカ１５が接続される。
【００１９】
チューナ１１およびチューナ１２に対して、制御部１６が接続される。制御部１６に対して、表示制御部１７および記憶部１９が接続される。表示制御部１７に対して、表示部１８が接続される。
【００２０】
チューナ１１は、アンテナ１０から供給されるＲＦ(Radio Frequency)信号を増幅するＲＦ増幅器と、増幅されたＲＦ信号から所望の放送局の周波数信号を選択する同調回路と、局部発振器からの周波数信号をＲＦ信号と混合（ミックス）し、中間周波数信号(ＩＦ信号：Intermediate Frequency)を生成する混合器と、中間周波数信号を直流検波し、受信信号の電界強度を示す受信電界強度信号（Ｓメータ信号）を検出するＳメータ検出回路と、ＩＦ信号やＳメータ信号をアナログ信号からデジタル信号へと適宜、変換するＡＤＣ(Analog to Digital Converter)回路と、を含む構成とされる。
【００２１】
チューナ１２は、アンテナ１０から供給されるＲＦ信号を増幅するＲＦ増幅器と、増幅されたＲＦ信号から所望の放送局の周波数信号を選択する同調回路と、局部発振器からの周波数信号をＲＦ信号と混合（ミックス）し、ＩＦ信号を生成する混合器と、中間周波数信号を直流検波し、受信信号の電界強度を示すＳメータ信号を検出するＳメータ検出回路と、ＩＦ信号やＳメータ信号をアナログ信号からデジタル信号へと適宜、変換するＡＤＣ回路と、を含む構成とされる。チューナ１２は、例えば、チューナ１１によって受信される放送とは異なる放送をバックグランドで受信することができる。
【００２２】
デジタル信号に変換されたＩＦ信号がオーディオ処理部１３に供給される。Ｓメータ信号が制御部１６に供給される。例えば、チューナ１１からオーディオ処理部１３にＩＦ信号が供給され、チューナ１２から制御部１６にＳメータ信号が供給される。このように、一例として、チューナ１２が受信信号の品質をチェックするために使用される。チューナ１１から制御部１６にＳメータ信号が供給され、チューナ１１が受信信号の品質をチェックするために使用されてもよい。さらに、チューナ１１およびチューナ１２を使用して、ダイバシティ受信が行われるようにしてもよい。
【００２３】
チューナ１１およびチューナ１２の構成は一例であり、上述した構成に限定されることはない。チューナ１１およびチューナ１２における構成や機能の一部を、オーディオ処理部１３や制御部１６が有するようにしてもよい。さらに、チューナは２個に限定されず、受信装置１００が３個以上のチューナを備える構成としてもよい。
【００２４】
オーディオ処理部１３は、チューナ１１およびチューナ１２の少なくとも一方から供給されるＩＦ信号に対して、各種の信号処理を実行する。オーディオ処理部１３は、ＦＦＴ(Fast Fourier Transform)処理、デジタルフィルタリング処理、デインタリーブ処理、デコード処理、レベルコントロール処理、これらの処理が施されたデジタル信号をアナログ信号へと変換するＤＡＣ(Digital to Analog Converter)処理などを行う。オーディオ処理部１３により、ダイバシティ受信を実行するための処理がなされてもよい。オーディオ処理部１３によりアナログオーディオ信号が形成される。アナログオーディオ信号がパワーアンプ１４に供給される。
【００２５】
パワーアンプ１４は、オーディオ処理部１３から供給されるアナログオーディオ信号を所定の増幅率でもって増幅する。なお、パワーアンプ１４がデジタルアンプによって構成されてもよい。パワーアンプ１４により増幅されたアナログオーディオ信号がスピーカ１５に供給される。
【００２６】
スピーカ１５は、パワーアンプ１４から供給されるアナログオーディオ信号を再生する。これにより、受信装置１００のユーザは、所望の放送局の放送を聴取できる。なお、受信装置１００が車載ラジオ受信機である場合は、スピーカ１５は、例えば、ダッシュボードの中央付近に取り付けられるスピーカ（センタ）と、各座席の近傍に取り付けられる４つのスピーカ（フロントライト、フロントレフト、リアライト、リアレフト）から構成される。もちろん、スピーカの配置態様は例示した態様に限られることなく、車両の大きさや形状などに応じて適宜、変更できる。
【００２７】
制御部１６は、例えば、ＣＰＵ(Central Processing Unit)から構成され、受信装置１００の各部を制御する。制御部１６は、チューナ１２の選局動作を制御し、受信信号の品質をバックグランドでスキャンする処理を行う。すなわち、制御部１６は、判定部の一例として機能する。スキャン処理は、少なくとも、放送波の受信帯域における所定の周波数にチューナを同調させ、同調周波数の受信信号の品質をチェックする処理を含む処理である。
【００２８】
スキャン処理の一例について説明する。例えば、ＡＭ(Amplitude Modulation)放送やＦＭ(Frequency Modulation)放送で使用される受信帯域の所定の周波数にチューナ１２を同調させる。所定の周波数の受信信号の電界強度を示すＳメータ信号が検出される。Ｓメータ信号が制御部１６に供給される。制御部１６は、Ｓメータ信号に基づいて、同調周波数の受信信号の品質が基準以上であるか否かを判定する。
【００２９】
判定が終了した後に、次の周波数が同調周波数として設定される。設定される同調周波数の受信信号の品質が基準以上であるか否かが判定される。以降、受信帯域における全ての同調周波数に対して同様の処理が行われる。なお、スキャン処理における同調周波数は、例えば、受信帯域における小さい周波数から大きい周波数に向かって、所定の周波数の間隔をもって設定される。
【００３０】
スキャン処理の結果に応じて、制御部１６は、Ｓメータ信号に基づくリストを作成する。例えば、Ｓメータ信号により示される電界強度が所定値以上の受信信号を抽出し、抽出結果を保持する。制御部１６により作成されたリストは、例えば、記憶部１９に記憶される。
【００３１】
制御部１６は、リストに基づく表示がなされるように、表示制御信号を生成する。制御部１６により生成された表示制御信号が表示制御部１７に供給される。なお、図示は省略しているが、制御部１６は、タイマーを有する。詳細は後述するが、リストの項目毎にタイマーのカウントアップを開始することができる。さらに、タイマー毎にカウントアップを停止し、カウント値をリセットできるように構成される。
【００３２】
受信装置１００は、表示系として、表示制御部１７および表示部１８を備える。表示制御部１７は、表示部１８を駆動するドライバとして機能する。表示制御部１７は、例えば、制御部１６から供給される表示制御信号に基づいて表示部１８を駆動する。表示部１８は、複数のセグメントが配列されたキャラクタディスプレイ、ＬＣＤ(Liquid Crystal Display)パネル、有機ＥＬ(Electroluminescence)パネル等によって構成される。
【００３３】
表示部１８に、表示制御信号に基づく表示がなされる。表示部１８に、例えば、放送局に対応する情報がリストとして表示される。放送局に対応する情報は、例えば、放送局名である。表示部１８に、表示制御信号に基づく表示以外の表示がなされるようにしてもよい。なお、表示部１８に実際に表示される放送局名のリストを表示リストと称することがある。
【００３４】
受信信号の品質が所定の品質以上の放送局に対応する情報が第１の表示態様で表示される。受信信号の品質が所定の品質以上の放送局に対応する情報が、例えば、通常の表示態様の如く、点灯して表示される。受信信号の品質が所定の品質を下回ると判定された放送局に対応する情報が、第１の表示態様と異なる第２の表示態様で表示される。例えば、受信信号の品質が所定の品質を下回ると判定された放送局に対応する情報が、通常の表示態様の表示色と異なる表示色でもって表示される。
【００３５】
なお、表示部１８に表示される表示リストの内容は、例えば、以下の内容が有り得る。これらの表示の切り換えは、例えば、制御部１６により生成される表示制御信号により制御される。
１）全ての放送局名が第１の表示態様により表示される。
２）全ての放送局名が第２の表示態様により表示される。
３）第１の表示態様により表示される放送局名と第２の表示態様により表示される放送局名とが混在する。
４）放送局名が全て非表示になる。
【００３６】
記憶部１９は、例えば、不揮発性のメモリから構成される。記憶部１９には、制御部１６によって作成されたリストが記憶される。なお、記憶部１９に、ユーザによりプリセットされる放送局に関する情報が記憶されてもよい。プリセットされる放送局の放送局名が表示部１８に表示されるようにしてもよい。
【００３７】
なお、図示は省略しているが、受信装置１００に操作部が設けられる。操作部に対する操作に応じた操作信号が生成される。操作信号が制御部１６に供給される。制御部１６は、供給される操作信号に応じた処理を実行する。
【００３８】
操作部は、ダッシュボードに配設されるスイッチやダイヤル、ボタンなどである。本開示では、一例として、受信装置１００における表示部１８がタッチパネルとして構成される。例えば、表示部１８に表示された放送局に対応する情報が触れられ、放送局に対応する情報が選択される。選択される放送局の信号を受信するように、チューナ１１が制御部１６により制御される。このように、表示部１８に表示される放送局名を選択ことで、その放送局を選局できる。放送局に対応する情報が、例えば、ボタンやリモートコントロール装置によって選択されるようにしてもよい。なお、表示部１８に表示される放送局名は表示態様に関係なく、選択できるようになされる。
【００３９】
ハードディスク、ＣＤ(Compact Disk)、半導体メモリなどに記憶されるオーディオソースがオーディオ処理部１３によって再生されてもよい。さらに、受信装置１００が外部の装置と通信を行う通信機能を有する構成としてもよい。
【００４０】
「受信装置の動作」
受信装置１００の動作の一例について説明する。制御部１６は、例えば、チューナ１２を制御することで１回目のスキャン（初期スキャン）処理を行う。初期スキャン処理によって、例えば、電界強度が所定値以上の受信信号の周波数が抽出される。抽出される周波数およびその周波数の放送信号を放送する放送局名がリストに保持される。受信帯域における全ての同調周波数の受信信号に対して、受信信号の品質のチェックがなされる。
【００４１】
制御部１６は、リストに保持される放送局名を表示するための表示制御信号を生成する。制御部１６によって生成された表示制御信号が表示制御部１７に供給される。表示制御部１７は、表示制御信号に基づいて表示部１８を駆動する。表示部１８に、放送局に対応する情報の一例である放送局名が表示される。予め設定された時間が経過した後に、再度、スキャン処理が行われる。予め設定された時間は、例えば、１分である。このように、スキャン処理が周期的に行われる。
【００４２】
ところで、車両が地下駐車場やトンネルなどを移動する際に、受信装置１００の受信環境が一時的に悪化する場合がある。このような場合に、例えば、スキャン処理が行われたとする。受信環境が悪化することに伴い、受信信号の電界強度が低下する。上述した、本開示に関連する技術では、電界強度が低下することから、該当する放送局を選局できないようにする処理が行われる。例えば、表示部に表示された放送局名等が非表示とされる。しかしながら、受信環境が回復した場合でも、次のスキャン処理が完了するまで、非表示とされた放送局名を選択できない。
【００４３】
そこで、本開示では、受信信号の品質が低下する場合であっても、例えば、放送局名をすぐに非表示とせずに、所定期間、継続して表示する。このとき、受信信号の品質が低下することをユーザが認識できるように、受信信号の品質が所定の品質を下回る品質と判定される放送局の放送局名等を、第２の表示態様でもって表示する。受信信号の品質が所定の品質以上と判定される放送局の放送局名等は、第１の表示態様の一例である通常の表示態様により表示する。これらの表示の切り換えは、制御部１６によって生成される表示制御信号に基づいて行われる。なお、放送局名等を第２の表示態様で表示することを、グレーリストとして表示すると称することがある。
【００４４】
例えば、図３に例示するように、ラジオ放送局名（放送局名ＡＡＡ−ＦＭ、放送局名ＢＢＢ−ＦＭ、放送局名ＣＣＣ−ＦＭ、放送局名ＤＤＤ−ＦＭ）がグレーリストとして表示部１８に表示される。
【００４５】
車両が地下駐車場やトンネルなどから離脱し、受信環境が良好に回復したとする。表示部１８には、放送局名がグレーリストとして表示されている。このため、ユーザは、グレーリストとして表示されている放送局名を選択することで、所望の放送局を直ぐに選局できる。受信環境が良好に回復した後に、改めてスキャン処理が行われ、スキャン処理の結果に基づく表示処理が完了するまで間、ユーザを待たせることを防止できる。
【００４６】
制御部１６は、選択される放送局名に対応する周波数にチューナ１１を同調させ、選択される放送局の信号を受信する処理を行う。オーディオ処理部１３およびパワーアンプ１４により所定の信号処理が施された後に、ユーザが所望する放送がスピーカ１５から再生される。
【００４７】
「受信信号の品質の判定処理」
受信装置１００により実行される処理の一例について説明する。始めに、受信装置１００により行われる、受信信号の品質を判定する処理（以下、適宜、品質判定処理と称することがある）の一例について説明する。品質判定処理は、例えば、制御部１６により行われる。
【００４８】
図４は、品質判定処理の流れの一例を示すフローチャートである。ステップＳ１０において、品質判定処理が開始される。例えば、チューナ１２から制御部１６に対して、Ｓメータ信号が供給される。
【００４９】
ステップＳ１１では、Ｓメータ信号によって示される電界強度が所定値以上であるか否かが判定される。所定値は、例えば、２０ｄＢ（デジベル）とされる。電界強度が２０ｄＢを下回る場合は、処理がステップＳ１３に進み、受信信号の品質が所定の品質を下回る（不良）と判定される。ステップＳ１１において、電界強度が２０ｄＢ以上と判断されると、処理がステップＳ１２に進む。
【００５０】
ステップＳ１２では、受信信号のエラーレートが所定値以内であるか否かが判定される。エラーレートが所定値より大きい場合は、処理がステップＳ１３に進み、受信信号の品質が所定の品質を下回ると判定される。エラーレートが所定値以内であれば、処理がステップＳ１４に進む。ステップＳ１４では、受信信号の品質が所定の品質以上（良好）と判定される。
【００５１】
なお、エラーレートの他に、例えば、高周波ノイズの量やマルチパスに基づく信号の低下量、Ｃ／Ｎ比(Carrier Noise Ratio)などのノイズ情報を使用して、受信信号の品質を判定するようにしてもよい。電界強度のみに対する判定によって、受信信号の品質を判定するようにしてもよい。
【００５２】
「処理の流れ」
図５〜図９を参照して、第１の実施形態における処理の一例について説明する。図５および図６は、第１の実施形態における処理の流れを示すフローチャートである。図７、図８および図９は、制御部１６の制御により生成されるリストと、リストに基づく表示リストの一例を示す。図５および図６に示す処理は、例えば、車両のイグニッションキーが回転され、アクセサリー電源が受信装置１００に供給されると開始される。なお、特に断らない限り、各処理は制御部１６の制御により実行される。
【００５３】
図５において、ステップＳ２０、ステップＳ２１およびステップＳ２２が、第１回目のスキャン処理（初期スキャン処理）を示す。ステップＳ２０では、受信帯域を所定の周波数ステップでもってスキャンする処理が行われる。受信帯域における所定の周波数にチューナ１２を同調させ、その周波数（同調周波数）の受信信号を受信する。受信帯域は、ＡＭ放送やＦＭ放送など、受信する放送に応じて異なる。この例では、受信装置１００によりＦＭ放送を受信するものとして説明する。そして、処理がステップＳ２１に進む。
【００５４】
ステップＳ２１において、同調周波数の受信信号に対する品質判定処理が行われる。受信信号の品質が所定の品質以上の同調周波数が抽出され、抽出された同調周波数がリストに保持される。さらに、抽出された同調周波数に対応する放送局名がリストに保持される。受信帯域に対して、所定の周波数ステップ毎に同調周波数が設定される。同調周波数の設定を更新しながら、設定される同調周波数の受信信号に対する品質判定処理が行われる。受信帯域における全ての同調周波数に対する品質判定処理が終了し、リストが作成される。作成されるリストが記憶部１９に記憶される。そして、処理がステップＳ２２に進む。
【００５５】
ステップＳ２２では、リストに基づく表示の処理が行われる。例えば、リストに含まれる放送局名が表示部１８に表示される。放送局名が通常の表示態様で表示される。
【００５６】
図７を参照して、具体例を用いて説明する。図７Ａは、記憶部１９に記憶されるリストの一例を示す。ステップＳ２１の処理によりリスト３０ａが作成される。初期スキャン処理における品質判定処理により、例えば、周波数ｆ１、周波数ｆ２、周波数ｆ３および周波数ｆ４の受信信号の品質が基準以上と判定される。周波数ｆ１に割り当てられる放送局名が、例えば、「ＡＡＡ−ＦＭ」とされる。周波数ｆ２に割り当てられる放送局名が、例えば、「ＢＢＢ−ＦＭ」とされる。周波数ｆ３に割り当てられる放送局名が、例えば、「ＣＣＣ−ＦＭ」とされる。周波数ｆ４に割り当てられる放送局名が、例えば、「ＤＤＤ−ＦＭ」とされる。
【００５７】
リスト３０ａの各項目に対して、グレーフラグが設定される。グレーフラグは、論理値としての０または１である。受信信号の品質が所定の品質以上であれば、グレーフラグが０に設定される。初期スキャン処理で得られるリスト３０ａでは、グレーフラグは全て０に設定される。受信信号の品質が所定の品質を下回る場合は、フレーフラグが１に設定される。受信信号の品質が所定の品質以上であれば、グレーフラグが１に設定され、受信信号の品質が所定の品質を下回る場合は、フレーフラグが０に設定されるようにしてもよい。
【００５８】
図７Ｂは、リスト３０ａに基づいて表示部１８に表示される表示リストの一例を示す。リスト３０ａに基づいて、表示リスト３０ｂが表示部１８に表示される。表示リスト３０ｂに表示される放送局名が選択可能とされる。例えば、ユーザが放送局ＢＢＢ−ＦＭを選局したい場合には、放送局ＢＢＢ−ＦＭが表示される位置を選択する操作がなされる。選択の操作に応じた操作信号が制御部１６に供給される。
【００５９】
制御部１６は、例えば、チューナ１１が周波数ｆ２の信号を受信するように、チューナ１１を制御する。この制御により、周波数ｆ２の信号が受信される。受信された信号に対して、オーディオ処理部１３およびパワーアンプ１４による所定の処理が施される。処理が施された信号がスピーカ１５から再生される。すなわち、放送局ＢＢＢ−ＦＭによる放送がスピーカ１５から再生される。
【００６０】
図５に戻り、処理の流れについて説明をする。ステップＳ２２の後、予め設定された期間が経過した後に、次のスキャン処理（２回目のスキャン処理）が行われる。スキャン処理と次のスキャン処理の時間間隔は、例えば、１分に設定される。
【００６１】
図５におけるステップＳ２３、ステップＳ２４、ステップＳ２５、ステップＳ２６およびステップＳ２７の処理が、２回目のスキャン処理を示す。ステップＳ２３では、受信帯域の所定の周波数にチューナ１２を同調させ、同調周波数の受信信号に対する品質判定処理が行われる。受信信号の品質が基準以上であれば、処理がステップＳ２４に進む。ステップＳ２４では、同調周波数に対応する放送局名に対する、通常の表示態様での表示が継続される。そして処理がステップＳ２５に進む。
【００６２】
ステップＳ２５では、受信帯域における全ての同調周波数の受信信号に対して、品質判定処理が行われたか否かが判定される。すなわち、受信帯域における全ての同調周波数の受信信号の品質がチェックされたか否かが判定される。ステップＳ２５の判定処理で肯定結果が得られる場合には、処理が図６におけるステップＳ２８に進む。ステップＳ２５の判定処理で否定結果が得られる場合には、処理がステップＳ２３に戻る。そして、次の同調周波数が設定され、設定される同調周波数の受信信号に対して品質判定処理が行われる。なお、図５において、ステップＳ２５の処理の後にＡと表記しているが、これは、後述する図６の処理との連続性を示すものであり、特別の処理を示すものではない。
【００６３】
ステップＳ２３において、受信信号の品質が所定の品質を下回る場合は、処理がステップＳ２６に進む。ステップＳ２６では、ステップＳ２３の処理において設定された同調周波数に対応する周波数が、リスト３０ａにあるか否かが判定される。同調周波数に対応する周波数が、リスト３０ａにない場合は、処理がステップＳ２５に進む。この場合は、初期スキャンにおいても受信信号の品質が所定の品質を下回ると判定されているため、特別の処理は行われずに、処理がステップＳ２５に進む。ステップＳ２６において、同調周波数に対応する周波数が、リスト３０ａにある場合は、処理がステップＳ２７に進む。
【００６４】
ステップＳ２７では、受信信号の品質が所定の品質を下回る放送局名がグレーリストとして表示される。さらに、ステップＳ２７では、制御部１６が有するタイマーが作動され、カウントアップが開始される。そして、処理がステップＳ２５に進む。上述したように、ステップＳ２５では、全ての同調周波数の受信信号に対する品質のチェックが終了したか否かが判定される。全ての同調周波数の受信信号に対して、品質のチェックが終了した場合は、処理が図６におけるステップＳ２８に進む。全ての同調周波数の受信信号に対する品質のチェックが終了していない場合は、処理がステップＳ２３に戻る。
【００６５】
図８を参照して、具体例を説明する。ステップＳ２３の処理において、例えば、同調周波数が周波数ｆ２の受信信号の品質が基準を下回ったとする。周波数ｆ２は、初期スキャン処理により生成されたリスト３０ａに存在する。制御部１６は、図８Ａに例示するように、周波数ｆ２および放送局名ＢＢＢ−ＦＭに対して設定されるグレーフラグを０から１に変更する。さらに、制御部１６は、周波数ｆ２および放送局名ＢＢＢ−ＦＭに関するタイマーを作動させる。
【００６６】
図８Ｂは、リスト３１ａに基づく表示リスト３１ｂの一例を示す。グレーフラグが１に設定される放送局名ＢＢＢ−ＦＭが、通常の表示態様とは異なる表示態様で表示される。例えば、放送局名ＡＡＡ−ＦＭと放送局名ＢＢＢ−ＦＭとが異なる表示色により表示される。異なる表示態様で表示することで、放送局名ＢＢＢ−ＦＭによる放送の品質が低下することをユーザが認識できる。
【００６７】
図５および図６に戻り、処理の流れについて説明する。図６におけるステップＳ２８、ステップＳ２９、ステップＳ３０、ステップＳ３１、ステップＳ３２、ステップＳ３３、ステップＳ３４、ステップＳ３５およびステップＳ３６の処理が、３回目以降に行われるスキャン処理を示す。
【００６８】
図５のステップＳ２７の判定処理において肯定結果が得られ、予め設定された期間が経過した後に、３回目以降のスキャン処理が行われる。３回目以降のスキャン処理は、例えば、車両のイグニッションキーが回転され、アクセサリー電源の供給が停止されるまで継続される。
【００６９】
ステップＳ２８では、品質判定処理が行われる。すなわち、受信帯域における所定の周波数にチューナ１２を同調させ、同調周波数の受信信号の品質が基準以上であるか否かが判定される。受信信号の品質が基準以上であれば、処理がステップＳ２９に進む。ステップＳ２９では、同調周波数に対応する放送局名に対する、通常の表示態様での表示が継続される。そして、処理がステップＳ３０に進む。
【００７０】
ステップＳ３０では、全ての同調周波数の受信信号の品質がチェックされたか否かが判定される。ステップＳ３０において否定結果が得られる場合には、処理がステップＳ２８に戻る。ステップＳ２８では、次の同調周波数が設定され、チューナ１２をその同調周波数に同調させる。同調周波数の受信信号の品質が基準以上であるか否かが判定される。ステップＳ３０において肯定結果が得られる場合には、処理がステップＳ２８に戻る。例えば、１分経過した後に、４回目のスキャン処理が行われる。このように、ステップＳ３０において肯定結果が得られる場合には、設定時間後に次の回のスキャン処理が行われる。
【００７１】
ステップＳ２８において、受信信号の品質が基準を下回る場合は、処理がステップＳ３１に進む。ステップＳ３１では、ステップＳ２８における同調周波数に対応する周波数が、直前のスキャン処理により作成されたリストに存在するか否かが判定される。同調周波数に対応する周波数が、リストに存在しない場合は、処理がステップＳ３０に進む。この場合は、直前のスキャン処理においても、受信信号の品質が所定の品質を下回ると判定されているため、特別の処理は行われずに処理がステップＳ３０に進む。
【００７２】
ステップＳ３１において、同調周波数に対応する周波数がリストに存在する場合は、処理がステップＳ３２に進む。ステップＳ３２では、リストにおけるグレーフラグを判別し、グレーリストであるか否かの判定が行われる。グレーリストでない場合、すなわち、グレーフラグが０である場合には、処理がステップＳ３３に進む。ステップＳ３３では、リストのグレーフラグを１とし、グレーフラグが１とされた放送局名をグレーリストとして表示する。ステップＳ３３では、さらに、タイマーを作動させる。そして、処理がステップＳ３０に進む。ステップＳ３０の処理の内容は、上述した通りである。
【００７３】
ステップＳ３２における判定処理において、グレーリストである場合、すなわち、グレーフラグが１である場合には、処理がステップＳ３４に進む。ステップＳ３４では、グレーリストとして表示されている時間が、設定時間以上であるか否かが判断される。設定時間は、適宜、変更できるが、例えば、１時間に設定される。なお、設定時間がユーザによって設定されてもよい。さらに、車両にＧＰＳ(Global Positioning System)センサを設け、ＧＰＳセンサから得られる情報に応じて設定時間が設定されるようにしてもよい。例えば、国境や県境などの、受信エリアが変化する可能性が高い場所に車両が位置するときには、設定時間を短く（例えば、１０分程度）してもよい。
【００７４】
グレーリストとして設定時間以上、継続して表示される場合は、処理がステップＳ３５に進む。ステップＳ３５では、グレーリストとして設定時間以上、表示される放送局名がリストから削除される。リストから削除される放送局名が、表示部１８の表示リストから削除される。
【００７５】
グレーリストとして設定時間以上、表示されることは、受信信号の品質が設定時間以上、基準を下回ることを意味する。すなわち、受信信号の受信環境が一時的に悪化しているのではなく、当該受信信号を受信できないエリアに車両が移動したものと判断することができる。このような場合は、放送局名を表示リストに表示する必要はない。したがって、リストから放送局名等を削除するとともに、表示リストから放送局名を削除する。
【００７６】
ステップＳ３４の判定処理において、グレーリストとして表示されている時間が設定時間より小さい場合には、処理がステップＳ３６に進む。ステップＳ３６では、グレーリストとしての表示が継続される。そして、処理がステップＳ３０に進む。ステップＳ３０の処理の内容は、上述した通りである。
【００７７】
図８および図９を参照して、具体例を説明する。図８Ａに例示されるように、周波数ｆ２および放送局名ＢＢＢ−ＦＭに対応するグレーフラグが１とされる。図８Ｂに例示されるように、放送局名ＢＢＢ−ＦＭがグレーリストとして表示される。このようなリストが作成され、表示リストが表示される後に、Ｎ回目（但し、Ｎは３以上の整数）のスキャン処理が行われる。
【００７８】
Ｎ回目のスキャン処理のステップＳ２８において、同調周波数として周波数ｆ２が設定される。周波数ｆ２の受信信号の品質が基準を下回るとする。リスト３１ａに周波数ｆ２が存在することから、ステップＳ３１の判定処理では肯定結果が得られる。周波数ｆ２および放送局名ＢＢＢ−ＦＭがグレーリストとして表示されていることから、ステップＳ３２の判定処理では肯定結果が得られる。
【００７９】
ステップＳ３４における処理において、放送局名ＢＢＢ-ＦＭがグレーリストとして設定時間以上、継続して表示されている場合には、ステップＳ３５の処理が行われ、放送局名ＢＢＢ-ＦＭが削除される。図９Ａに例示すように、周波数ｆ２および放送局名ＢＢＢ−ＦＭがリスト３１ａから削除され、新たにリスト３２ａが作成される。リスト３２ａに基づく表示リストが表示部１８に表示される。図９Ｂに例示するように、放送局名ＢＢＢ−ＦＭが削除された表示リスト３２ｂが表示部１８に表示される。
【００８０】
ステップＳ３４における処理において、放送局名ＢＢＢ-ＦＭがグレーリストとして設定時間以上、継続して表示されていない場合には、ステップＳ３６の処理が行われる。ステップＳ３６において、放送局名ＢＢＢ-ＦＭが引き続き、グレーリストとして表示される。
【００８１】
以上、説明したように、受信信号の品質が基準を下回る場合でも、直ぐに表示リストから削除せず、グレーリストとして表示するようにしている。受信信号の受信環境が良好に回復した場合に、グレーリストで表示された放送局名を選択することで、当該放送局を直ぐに選局できる。もちろん、品質が基準以上の受信信号を放送する放送局を選局するようにしてもよい。表示リストには、受信信号の品質に応じて放送局名が異なる表示態様で表示される。このため、ユーザは、受信信号の品質が基準以上の放送局を容易に識別でき、その放送局を選択できる。
【００８２】
さらに、設定された時間以上、グレーリストとして継続されて表示される場合には、リストおよび表示リストから、放送局名等を削除するようにしている。これにより、例えば、受信エリアから外れた放送局が必要以上に表示されることを防止できる。
【００８３】
＜２．第２の実施形態＞
次に、本開示の第２の実施形態について説明する。第２の実施形態における受信装置の構成は、受信装置１００と同様であるので、重複した説明を省略する。
【００８４】
「処理の流れ」
図１０〜図１４を参照して、第２の実施形態における処理の一例について説明する。図１０および図１１は、第２の実施形態における処理の流れを示すフローチャートである。なお、図１０および図１１に示すフローチャートにおいて、第１の実施形態における処理と同様の処理については、同じ参照符号を付している。以下の説明では、第１の実施形態における処理と異なる処理を中心に説明する。
【００８５】
図１０におけるステップＳ４０において、初期スキャン処理が行われる。初期スキャン処理の内容は、図９におけるステップＳ２０、ステップＳ２１およびステップＳ２２と同様の処理である。そして、２回目のスキャン処理が行われる。
【００８６】
２回目のスキャン処理では、例えば、ステップＳ４１およびステップＳ４２の処理が追加される。ステップＳ２３の処理において、ある同調周波数の受信信号の品質が基準以上であるか否かが判定される。受信信号の品質が基準を下回る場合は、処理がステップＳ２６に進む。なお、ステップＳ２６およびステップＳ２７の処理の内容は、第１の実施形態と同様の処理の内容であるため、重複した説明を省略する。
【００８７】
ステップＳ２３の判定処理で肯定結果が得られると、処理がステップＳ４１に進む。ステップＳ４１では、ステップＳ２３で判定対象とされた同調周波数および当該同調周波数が割り当てられる放送局がリストにあるか否かが判定される。リストにある場合は、処理がステップＳ２４に進み、周波数および放送局名が通常の表示態様で表示される。リストにない場合は、処理がステップＳ４２に進む。
【００８８】
ステップＳ４２では、ステップＳ２３で判定対象とされた同調周波数およびその周波数が割り当てられる放送局名がリストに追加される。そして、リストに追加された放送局名が通常の表示態様で表示される。
【００８９】
図７および図１２を参照して、ステップＳ４１およびステップＳ４２等の処理を具体的に説明する。例えば、ステップＳ４０の初期スキャン処理により、図７Ａに例示するリスト３０ａが作成される。リスト３０ａに基づいて、表示リスト３０ｂが表示部１８に表示される。
【００９０】
２回目のスキャン処理のステップＳ２３の処理において、同調周波数として周波数ｆ５が設定される。周波数ｆ５に対応する受信信号の品質が基準以上と判定されると、ステップＳ４１の処理が行われる。リスト３０ａには、周波数ｆ５および周波数ｆ５が割り当てられる放送局名がない。このため、ステップＳ４２の処理が行われる。
【００９１】
ステップＳ４２では、周波数ｆ５および周波数ｆ５が割り当てられる放送局名をリスト３０ａに追加する処理が行われる。図１２Ａに例示するように、リスト３０ａに周波数ｆ５および周波数ｆ５が割り当てられる放送局名ＥＥＥ−ＦＭが追加され、新たなリスト３５ａが作成される。周波数ｆ５の受信信号の品質が基準以上であることから、グレーフラグは０に設定される。
【００９２】
そして、ステップＳ２４の処理が行われる。ステップＳ２４では、リスト３５ａに基づいく表示リストが表示部１８に表示される。図１２Ｂに例示すように、放送局名ＥＥ−ＦＭが追加された表示リスト３５ｂが表示部１８に表示される。放送局名ＥＥＥ−ＦＭが選択可能される。放送局名ＥＥＥ−ＦＭが選択されると、チューナ１２を周波数ｆ５に同調させる制御が制御部１６によりなされ、放送局名ＥＥＥ−ＦＭの放送が再生される。
【００９３】
車両の移動に伴い受信エリアが変化するため、新たな放送局が受信可能となる場合がある。このような場合でも、受信可能となった放送局がリストおよび表示リストに自動的に追加される。受信エリアの変化に伴って、放送局をシークする操作や、放送局をプリセットする操作をドライバが行う必要がない。このため、運転における安全性が向上する。
【００９４】
図１０に戻り、処理の流れについて説明する。２回目のスキャン処理のステップＳ２５の処理において肯定結果が得られると、３回目以降のスキャン処理が行われる。なお、図１０において、ステップＳ２５の処理の後にＢと表記しているが、これは、後述する図１１の処理との連続性を示すものであり、特別の処理を示すものではない。
【００９５】
図１１は、３回目以降のスキャン処理の一例を示す。３回目以降のスキャン処理では、ステップＳ４３、ステップＳ４４、ステップＳ４５およびステップＳ４６の処理が追加される。
【００９６】
ステップＳ２８の処理において、受信帯域の所定の周波数が同調周波数として設定され、同調周波数の受信信号の品質が基準以上であるか否かが判定される。受信信号の品質が基準を下回る場合は、処理がステップＳ３１に進む。なお、ステップＳ３１以降の処理の内容は、上述した第１の実施形態と同様の処理であるので、重複した説明を省略する。
【００９７】
受信信号の品質が基準以上であれば、処理がステップＳ４３に進む。ステップＳ４３では、ステップＳ２８で判定対象とされた同調周波数が、直前のスキャン処理で作成されたリストにあるか否かが判定される。リストにない場合は、処理がステップＳ４４に進む。
【００９８】
ステップＳ４４において、ステップＳ２８で判定対象とされた同調周波数がリストに追加される。そして、処理がステップＳ２９に進む。ステップＳ２９では、同調周波数に対応する放送局名が通常の表示態様で表示される。ステップＳ４３およびステップＳ４４の処理の内容は、上述したステップＳ４１およびステップＳ４２の処理の内容と同様である。
【００９９】
ステップＳ４３の判定処理において、ステップＳ２８で判定対象とされた同調周波数が、直前のスキャン処理で作成されたリストにある場合は、処理がステップＳ４５に進む。ステップＳ４５では、判定対象とされた同調周波数に対応する放送局名がグレーリストとして表示されているか否かが判定される。判定対象とされた同調周波数に対応するグレーフラグが０であれば、放送局名は、通常の表示態様で表示されておりグレーリストではない。この場合は、処理がステップＳ２９に進み、通常の表示態様による表示が継続される。
【０１００】
判定対象とされた同調周波数に対応するグレーフラグが１であれば、放送局名は、グレーリストとして表示されている。この場合は、処理がステップＳ４６に進む。ステップＳ４６では、グレーフラグがリセットされる。すなわち、グレーフラグが１から０に変更される。さらに、グレーリストとして表示されるときにカウントアップされたタイマーがリセットされる。そして、処理がステップＳ２９に進む。ステップＳ２９では、グレーリストとして表示されている放送局名が通常の表示態様で表示される。そして、処理がステップＳ３０に進む。
【０１０１】
図１３を参照して、ステップＳ４４およびステップＳ４５等の処理を具体的に説明する。直前のスキャン処理により、図１３Ａに例示するリスト３６ａが作成される。表示部１８には、リスト３６ａに基づく表示がなされる。表示部１８には、放送局名ＡＡＡ−ＦＭ、放送局名ＣＣＣ−ＦＭ、放送局名ＤＤＤ−ＦＭが通常の表示態様で表示される。放送局名ＢＢＢ−ＦＭがグレーリストとして表示される。
【０１０２】
ステップＳ２８における判定処理で、例えば、周波数ｆ２が同調周波数として設定される。周波数ｆ２の受信信号の品質が基準以上であると判定され、処理がステップＳ４３に進む。リスト３６ａに周波数ｆ２があることから、ステップＳ４３の処理において肯定結果が得られる。周波数ｆ２に対応するグレーフラグは１であることから、放送局名ＢＢＢ−ＦＭはグレーリストとして表示されている。よって、ステップＳ４５の判定処理において肯定結果が得られ、ステップＳ４６の処理が行われる。
【０１０３】
ステップＳ４６では、グレーフラグがリセットされる。リスト３６ａの周波数ｆ２に対応するグレーフラグがリセットされ、リスト３６ａが図１３Ｂに示すリスト３６ｂへと更新される。そして、ステップＳ２９の処理が行われる。ステップＳ２９では、リスト３６ｂに基づく表示がなされる。すなわち、グレーリストとして表示されている放送局名ＢＢＢ−ＦＭが通常の表示態様で表示される。さらに、周波数ｆ２および放送局名ＢＢＢ−ＦＭに関してカウントアップされていたタイマーが停止され、タイマー値が０にリセットされる。なお、リストにおける他の項目に関してタイマーが作動している場合は、このタイマーのカウントアップは継続される。
【０１０４】
このように、グレーリストとして表示されていた放送局の受信信号の品質が基準以上となる場合は、表示態様をグレーリストから通常の表示態様へ変更することができる。
【０１０５】
＜３．変形例＞  
以上、本開示の複数の実施形態について説明したが、本開示は、上述した実施形態に限られることなく、種々の変形が可能である。
【０１０６】
放送局名を点滅させることで、グレーリストとしての表示がなされてもよい。例えば、図１４Ａに示すように、放送局名ＡＡＡ−ＦＭを通常の表示態様で表示する。これに対して、図１４Ｂに示すように、放送局名ＢＢＢ−ＦＭの表示および非表示を所定の時間周期で繰り返して行い、放送局名ＢＢＢ−ＦＭを点滅させて表示するようにしてもよい。
【０１０７】
放送局名に対応する情報は、放送局名に限られることはない。放送局に割り当てられる周波数でもよい。放送局を識別するアイコンやサムネイル画像でもよい。これらを組み合わせたものが、放送局に対応する情報とされてもよい。
【０１０８】
本開示は、ラジオ放送のほか、テレビジョン放送に対しても適用できる。
【０１０９】
本開示は、装置のほか、方法、プログラム、プログラムが記録された記録媒体などによって実現することができる。なお、実施形態および変形例における構成および処理は、技術的矛盾が生じない範囲で適宜、変更し、また、組み合わせることができる。本開示を、例示した処理が複数の装置によって分散して処理される、いわゆるクラウドシステムに対して適用してもよい。
【０１１０】
本開示は、以下の構成をとることもできる。
（１）
放送波の受信帯域をスキャンし、受信信号の品質を所定の品質と比較し判定する判定部と、
前記品質が前記所定の品質以上と判定される、第１の放送局に対応する情報を、第１の表示態様により表示し、
前記品質が前記所定の品質を下回ると判定される、第２の放送局に対応する情報を、前記第１の表示態様とは異なる第２の表示態様により表示する制御部と
を備える受信装置。
（２）
前記制御部は、前記第２の放送局に対応する情報を、予め設定された期間、表示する（１）に記載の受信装置。
（３）
前記制御部は、前記期間を経過した後に、前記品質が前記所定の品質以上にならない場合に、前記第２の放送局に対応する情報を、非表示にする（２）に記載の受信装置。
（４）
前記制御部は、前記期間に前記品質が前記所定の品質以上になる場合に、前記第２の放送局に対応する情報を、前記第２の表示態様から前記第１の表示態様に変更して表示する（２）に記載の受信装置。
（５）
前記判定部は、電界強度、ノイズ情報およびエラーレートの少なくとも一を使用して、前記品質を判定する（１）乃至（４）の何れかに記載の受信装置。
（６）
前記判定部は、前記受信信号の電界強度に対する判定を行い、前記電界強度が所定値以上である場合に、ノイズ情報およびエラーレートの少なくとも一方を使用した判定を行うことで前記品質を判定する（１）乃至（４）の何れかに記載の受信装置。
（７）
前記第１の放送局に対応する情報および前記第２の放送局に対応する情報のそれぞれは、放送局の名称および該放送局に割り当てられる周波数の少なくとも一つである（１）乃至（６）の何れかに記載の受信装置。
（８）
前記第１の表示態様および前記第２の表示態様は、表示色が互いに異なる表示態様である（１）乃至（７）に何れかに記載の受信装置。
（９）
前記第２の表示態様は、前記第２の放送局に対応する情報を点滅させて表示する表示態様である（１）乃至（７）の何れかに記載の受信装置。
（１０）
前記第１の放送局に対応する情報および前記第２の放送局に対応する情報の少なくとも一方が表示部に表示され、
前記表示される情報が選択可能とされる（１）乃至（９）の何れかに記載の受信装置。
（１１）
前記選択される情報に対応する放送局が選局される（１０）に記載の受信装置。
（１２）
放送波の受信帯域をスキャンし、
前記スキャンにより受信される受信信号の品質を、所定の品質と比較することにより判定し、
前記品質が前記所定の品質以上と判定される、第１の放送局に対応する情報を、第１の表示態様により表示し、
前記品質が前記所定の品質を下回る品質と判定される、第２の放送局に対応する情報を、前記第１の表示態様とは異なる第２の表示態様により表示する
表示方法。
【符号の説明】
【０１１１】
１１・・・チューナ
１２・・・チューナ
１６・・・制御部
１８・・・表示部
１００・・・受信装置
【図１】
2013192133.tif 000003
【図２】
2013192133.tif 000004
【図３】
2013192133.tif 000005
【図４】
2013192133.tif 000006
【図５】
2013192133.tif 000007
【図６】
2013192133.tif 000008
【図７】
2013192133.tif 000009
【図８】
2013192133.tif 000010
【図９】
2013192133.tif 000011
【図１０】
2013192133.tif 000012
【図１１】
2013192133.tif 000013
【図１２】
2013192133.tif 000014
【図１３】
2013192133.tif 000015
【図１４】
2013192133.tif 000016